(57)【要約】      （修正有）【課題】遺影写真の額縁を見ただけで、誰が見ても一見すれば即座に故人と判別可能で、かつ、故人の重要情報の保全が十分に可能であり、また、仏壇を備えない場所や身近に抵抗感がなく飾ることが可能である遺影写真用額縁を提供する。【解決手段】額縁１０の本体を形成する矩形状の枠体１１と、前記枠体の前面側内周縁で形成された開口部と、遺影写真の前面側外周縁を額縁に収納し飾るための板状のシートであるマット部材２０とを有し、前記マット部材は、前面側に少なくとも１つ以上開口された窓部２１と、前記窓部よりも小さく開口されたプレート嵌め込み部２２とを備え、前記プレート嵌め込み部に、少なくとも故人の俗名と、享年と、生存年月日と、没年月日と、故人に関するその他の情報とから選択されたいずれか１項目以上を印した所定の形状のプレートを嵌め込む。【選択図】図１
0003157171.tif 000002
【実用新案登録請求の範囲】
【請求項１】
故人の写真を収納して飾る遺影写真用額縁であって、
前記額縁の本体を形成する矩形状の枠体と、前記枠体の前面側内周縁で形成された開口部と、遺影写真の前面側外周縁を額縁に収納し飾るための板状のシートであるマット部材とを有し、
前記マット部材は、前面側に少なくとも１つ以上開口された窓部と、前記窓部よりも小さく開口されたプレート嵌め込み部とを備え、
前記プレート嵌め込み部に、少なくとも故人の俗名と、生年月日と、没年月日と、享年と、故人に関するその他の情報とから選択されたいずれか１項目以上を印した所定の形状のプレートを嵌め込んだことを特徴とする遺影写真用額縁。
【請求項２】
前記枠体は、前記開口部の面積を該枠体の裏面側内周縁で形成された開口部の面積よりも狭くさせる段部を備え、
前記プレートを、前記段部の所定の位置に、該プレートの縦方向に対向する２辺を架け渡して着脱自在に取り付けたことを特徴とする請求項１に記載の遺影写真用額縁。
【考案の詳細な説明】
【技術分野】
【０００１】
本考案は、故人の写真を収納して飾る遺影写真用額縁に関するものである。
【背景技術】
【０００２】
一般的に葬儀式は、故人の写真である遺影写真を祭壇に飾って執り行われることから、遺影写真は、葬儀式で使用されるものが１枚だけ作られ、葬儀後は、喪主が自宅に持ち帰り、壁等に吊り下げて飾るというのが通例であった。しかしながら、近年、葬儀式では祭壇飾り専用の遺影写真、例えば、バックライトによる透過写真等が作られ、それとは別に自宅に持ち帰る専用の遺影写真が作られるという傾向が多く見受けられる。
【０００３】
また、このような傾向に伴い、自宅に持ち帰る遺影写真の形状も最近では多様化してきており、従来の図９に示すような比較的大型で壁掛け用の遺影写真に加えて、図１０に示すような比較的小型でスタンド付きの仏壇の中に収めて飾ることができる遺影写真を追加で作るというようなケースも増加する傾向にある。
【０００４】
自宅に持ち帰る遺影写真は、遺族を代表する喪主、すなわち故人の配偶者または長男、父親等、一番近しい身内が遺族を代表して自宅に飾り、後世に引き継いで守っていくのが古くからの慣わしである。従って、従来、遺影写真は、その性質上、そこに写っている故人を既に認知している者の手に渡ることを暗黙の了解として作られているということから、故人の大切な記録であるにも関わらず、写真または写真を収める額縁のいずれにも、第三者が故人を特定できる情報は顔以外何一つ持ち合わせていなかった。
【０００５】
その証拠に、人々が壁に吊り下げられた先祖代々の遺影写真を眺めるとき、遠い先祖ほど名前を思い出すことが難しいものである。また、過去に会話を交わした故人は、名前は生涯を通してすぐに思い出せたとしても、生年月日や死亡年月日というような故人に関する詳細な情報を記憶に刻み続けることは困難である。
【０００６】
故人に関する詳細な情報は、遺族がその子孫に伝え残すべき重要なものであり、いわゆる過去帳のような形で記録を残す慣習が古くから存在するが、生活スタイルの多様化、核家族化に伴いそのような記録がもはや残っていないケースも多く見受けられる。
【０００７】
遺影写真や過去帳は、そのどちらも、故人がこの世に存在したことを裏付ける、決して無くしてはならない重要な証拠品であるといえる。しかしながら、故人の生前の姿を残す写真である遺影写真と文字しか書かれてない資料とを比べれば、前者を粗末にする子孫はまずいないと考えられることから、後世まで引き継がれ、残される確率の高いのは遺影写真であるといえる。
【０００８】
このようなことから、過去帳やその他に記録していたような故人に関する重要な情報を、遺影写真の方に記録すれば情報保全性の観点から有利であると考え、遺影写真の額縁の裏面に故人の名前や生年月日、死亡年月日、享年等を記入する遺族も存在したが、手書きによる記入が主流であり、消えて見えなくなってしまう等、情報の保全性に問題があった。また、その情報を見るためには壁掛けされた写真額を一度裏返しにする手間が必要であり、利便性に欠け即時性に問題があった。
【０００９】
また、地域によっては葬儀式の場で集まった遺族が集合写真を撮影するという場面が見られるが、集合写真のプリントに故人の名前や死亡年月日、享年等を文字入れする業者は存在したが、遺影写真に同様の文字入れをすることはこれまで無かった。仮に、遺影写真に集合写真の文字入れのような作法を適用するには余りに簡易的すぎる感があり、故人の尊厳を軽んじていると遺族の誤解を招く恐れがあるという問題があった。
【００１０】
このような問題を解決するため、特許文献１には、額縁の嵌め込み部に戒名と顔写真と俗名と命日とメッセージ等を転写印刷又は焼付印刷したタイルを取り付けた位牌と同等の価値を有する戒名入りフォトプレートを提案している。この提案によると、写真等を印刷したタイルを額縁に嵌め込み飾ることができるため、仏具としてのイメージを軽減することが可能となり、また、タイルの性質上印刷された文字や文章等を半永久的に保護することが可能となる。
【００１１】
また、特許文献２には、位牌に印された戒名本人の肖像を表した位牌本体に取り付ける位牌用プレートが提案されている。この提案によると、位牌を見ただけで戒名本人の特定が容易に可能となり、これを仏壇に収めると遺影と同様な働きをすることが可能となる。
【先行技術文献】
【特許文献】
【００１２】
【特許文献１】特開平９−２２４８１１号公報
【特許文献２】特開２００６−１５８４０５号公報
【考案の概要】
【考案が解決しようとする課題】
【００１３】
しかしながら、これらの提案では、いわゆる位牌の正面に小さい遺影写真を印刷することによって、位牌と故人とをより直観的に結び付けるというだけに過ぎず、あくまで位牌が主役であり、遺影写真は脇役であると位置づけになってしまうという問題がある。また、位牌という性質上、仏壇の中に収められるという観念が強く、仏壇を備えない場所に飾ったり、喪主以外の親族が身近に飾ったりするには多少の抵抗感が存在するという問題がある。
【００１４】
よって本考案の目的は、遺影写真の額縁を見ただけで、誰が見ても一見すれば即座に故人と判別可能で、かつ、故人の重要情報の保全が十分に可能であり、また、仏壇を備えない場所や身近に抵抗感がなく飾ることが可能である遺影写真用額縁を提供することにある。
【課題を解決するための手段】
【００１５】
上記目的を達成するために、請求項１に係る本考案は、故人の写真を収納して飾る遺影写真用額縁であって、前記額縁の本体を形成する矩形状の枠体と、前記枠体の前面側内周縁で形成された開口部と、遺影写真の前面側外周縁を額縁に収納し飾るための板状のシートであるマット部材とを有し、前記マット部材は、前面側に少なくとも１つ以上開口された窓部と、前記窓部よりも小さく開口されたプレート嵌め込み部とを備え、前記プレート嵌め込み部に、少なくとも故人の俗名と、生年月日と、没年月日と、享年と、故人に関するその他の情報とから選択されたいずれか１項目以上を印した所定の形状のプレートを嵌め込んだことを特徴とする遺影写真用額縁。
【００１６】
さらに、請求項２に係る本考案は、請求項１に記載の遺影写真用額縁であって、前記枠体は、前記開口部の面積を該枠体の裏面側内周縁で形成された開口部の面積よりも狭くさせる段部を備え、前記プレートを、前記段部の所定の位置に、該プレートの縦方向に対向する２辺を架け渡して着脱自在に取り付けたことを特徴とする。
【考案の効果】
【００１７】
本考案によれば、遺影写真の額縁を見ただけで、誰が見ても一見すれば即座に故人と判別可能で、かつ、故人の重要情報の保全が十分に可能であり、また、仏壇を備えない場所や身近に抵抗感がなく飾ることが可能である遺影写真用額縁を提供することができる。
【図面の簡単な説明】
【００１８】
【図１】本考案における第１実施形態の構成を説明する正面図である。
【図２】図１のＡ−Ａ線切断部断面図である。
【図３】図１で示したマット部材の正面図である。
【図４】図１で示したマット部材嵌め込み用のプレートの正面図である。
【図５】本考案における第２実施形態の構成を説明する正面図である。
【図６】図５のＢ−Ｂ線切断部断面図である。
【図７】本考案における第２実施形態の構成を説明する裏面図である。
【図８】図５で示した額縁用のプレートの正面図である。
【図９】従来の遺影写真用額縁を説明する正面図である。
【図１０】従来の遺影写真用額縁を説明する正面図である。
【考案を実施するための形態】
【００１９】
以下、本考案に係る遺影写真用額縁を実施するための最良の形態を図面を参照して具体的に説明する。なお、同一の構成要素については、同一の参照番号を付し、説明を省略する。
図１及び図２は、本考案における第１実施形態の構成を説明する図である。図１は正面図を、図２は図１のＡ−Ａ線切断部断面図をそれぞれ示している。
【００２０】
図１において、額縁１０は、矩形状の枠体１１により本体が形成されており、枠体１１の前面側内周縁１１ａで形成された開口部１４を有している。枠体１１には、木材及び金属類、アクリル樹脂や塩化ビニル樹脂等の合成樹脂材、陶器、ガラス等が用いられるのが好適であるが、この限りではない。また、枠体１１の前面側内周縁１１ａを直線として図示しているが、例えば、外観を良くするための形状を有した装飾等を施した装飾縁としてもよい。
【００２１】
また、額縁１０は、遺影写真３０とプレート４０とを額縁１０に収納し飾るための板状のシートであるマット部材２０を有している。さらに、マット部材２０と枠体１１の間に表板１２を有している。表板１２を有することで、大切な遺影写真を汚れや傷から保護することが可能となる。表板１２には、透明性を有するガラス又はアクリルが用いられるのが好適であるが、この限りではない。また、額縁１０は表板１２を有するのが好適であるが、この限りではなく、表板１２の有無は、遺影写真が飾られる場所や用途等により選択されるとよい。
【００２２】
図２において、額縁１０の断面構造を図示しており、枠体１１の裏面側は、開口部１４の面積を枠体１１の裏面側内周縁１１ｂで形成された開口部の面積よりも狭くさせる段部１５を形成した形状である。この段部１５内に、前面側から順に表板１２、マット部材２０、遺影写真３０、裏板１３と視認される面側とは反対の面側に積層され、裏面側から収納される。そして、枠体１１の裏面に着脱自在に取り付ける押さえ部材１６によって裏板１３を前側に向かって押止する。
【００２３】
ここで、枠体１１の裏面側に段部１５を形成しているが、この限りではなく、段部１５を形成せずに、枠体１１の裏面側を平面に形成してもよい。この場合にも、上術と同様に前面側から収納される部材を順に積層させ、裏面側から収納される。
【００２４】
次に、図１で示した遺影写真３０とプレート４０とを額縁１０に収納し飾るための板状のシートであるマット部材２０と、プレート４０についてそれぞれ説明する。
図３は、図１で示したマット部材２０の正面図を、図４は、図１で示したマット部材嵌め込み用のプレート４０の正面図を、それぞれ示している。
【００２５】
図３において、マット部材２０は板状のシートであり、適宜の幅で適宜の厚みを有している。また、マット部材２０は、所定の位置に少なくとも１つ以上の所定の形状に開口された窓部２１と、プレート嵌め込み部２２とを有している。但し、ここでは、窓部２１とプレート嵌め込み部２２との形状をそれぞれ矩形状に図示しているが、この限りではなく、額縁１０に収納される遺影写真３０の形状や嵌め込まれるプレート４０の形状に合わせた形状に形成され、開口されてもよい。また、図に示すように窓部２１を、マット部材２０のほぼ中央部かつマット部材左右２３ａとマット部材上側２３ｂが適宜同等の幅を有する位置に開口し、プレート嵌め込み部２２を、マット部材下側２３ｃかつ窓部２１と平行する位置に開口するのが好適であるが、この限りではない。
【００２６】
また、窓部２１の前面側内周縁及びプレート嵌め込み部２２の前面側内周縁は、厚さ方向に角度をなす装飾縁２４を有している。装飾縁２４は、直線にて図示しているが、この限りではなく、外観を良くする形状を有した装飾縁を形成してもよい。
【００２７】
窓部２１に遺影写真３０の前面側外周縁を収納することにより、遺影写真３０の形状が枠体１１の開口部１４の形状と多少異なっている場合にも、額縁１０に遺影写真３０を整然と収めることが可能となる。
【００２８】
額縁１０が窓部２１とプレート嵌め込み部２２とを備えたマット部材２０を有することで、遺影写真３０とプレート４０とを開口部１４内でバランスのとれた位置に配し、前面より視認可能とすることができる。
【００２９】
ここで、プレート嵌め込み部２２に嵌め込まれるプレート４０には、少なくとも故人の生前の氏名である俗名と、故人の生年月日と、故人が亡くなった日付である没年月日と、故人が亡くなった年齢である享年と、故人の人となりを後世に伝えるために遺族が希望する文字情報とから選択されたいずれか１項目以上が印されている。例えば、図４に示すとおり、俗名４２を「札幌太郎」、享年４３を「享年○○歳」、生年月日と没年月日を組み合わせて生存期間を示した生存年月日４４を「昭和○年○月○日〜平成○年○月○日」と印される。さらに、プレート４０には外観をよくするためのプレート４０に印された情報を囲む装飾４１が印されるのが好適であるが、この限りではない。
【００３０】
また、プレート４０は、適宜の大きさ及び形状を有しており、前述した記録する情報に必要十分な大きさ及び形状を適宜選択し用いられるとよい。例えば、遺族が併記を希望する情報がたくさんある場合には比較的大きめとなる。
【００３１】
プレート４０には、経年による耐久性に優れた金属類、プラスチック又はアクリル等の合成樹脂材を用いることが好適である。これは、プレート４０に印される情報を、耐久性に優れた材質を採用したプレートにレーザー彫刻機械等により刻印することで、インク等による経年劣化を回避し、故人の情報の保全性を高めるためである。但し、プレート４０に用いられる素材は、この限りではない。
【００３２】
続いて、図５、図６、図７及び図８を参照し、本考案における第２実施形態について説明する。前述の第１実施形態と第２実施形態との違いは、額縁５０を形成する枠体５１が有する段部５４の所定の位置にプレート６０の縦方向に対向する２辺を掛け渡して着脱可能に取り付けた点にある。これにより、マット部材２０を使用しなくともプレート６０を額縁５０に取り付けることを可能とした。
【００３３】
図５、図６及び図７は、本考案における第２実施形態の構成を説明する図であり、図５は正面図を、図６は図５のＢ−Ｂ線切断部断面図を、図７は裏面図を、それぞれ示している。また、図８は図５で示した額縁用のプレート６０の正面図を示している。
【００３４】
図５において、本実施例では、額縁５０は、矩形状の枠体５１により本体が形成されており、枠体５１の前面側内周縁５４ａで形成された開口部５５を有している。さらに、開口部５５は、所定の位置にプレート６０を備えている。
【００３５】
図６及び図７に示すとおり、枠体５１の裏面側は、開口部５５の面積を枠体５１の裏面側内周縁５４ｂで形成された開口部の面積よりも狭くさせる段部５４を形成した形状である。この段部５４内に、前面側から順に表板５２、プレート６０、遺影写真３０、裏板５３と視認される面側とは反対の面側に積層され、裏面側から収納される。そして、枠体５１の裏面に着脱自在に取り付ける押さえ部材５５によって裏板５３を前側に向かって押止する。但し、前述の本第１実施例と同様に、額縁５０は表板５２を有するのが好適であるが、この限りではなく、表板５２の有無は、遺影写真が飾られる場所や用途等により選択されるとよい。
【００３６】
ここで、プレート６０を額縁５０に収納する際には、段部左右５４ａにプレート６０の縦方向に対向する２辺を掛け渡して収納する。さらに、額縁５０の下部にプレート６０を配置する際には、これに加え、段部下側５４ｃにプレート下部６１を収さめて収納する。
【００３７】
また、プレート６０は、図８に示すような形状及び印字の配置とすることが好適であるが、この限りではなく、プレート６０が額縁５０において収納される位置により適宜決定されるとよい。
【００３８】
本第２実施形態では、前述したようにマット部材２０を使用せずにプレート６０を額縁５０に収納するのが好適であるが、この限りではなく、マット部材２０を組み合わせ使用することも可能である。その際には、段部５４内に前面側から順に表板５２、プレート６０、マット部材２０、遺影写真３０、裏板５３と視認される面側とは反対の面側に積層して裏面側から収納し、枠体５１の裏面に着脱自在に取り付ける押さえ部材５５によって裏板５３を前側に向かって押止する。
【００３９】
このように、本考案の第２実施形態でマット部材２０を使用しなくともプレート６０を額縁５０に収納することを可能としたことで、マット部材２０を必要としない比較的小さなサイズの遺影写真を額縁に収納する際にも故人の情報が印されたプレートを額縁に備えることが可能となる。
【００４０】
例えば、一般的な遺影写真の特徴として、サイズが比較的大きく、また、制作料金が通常の写真の現像料金に比べると特殊な写真加工処理を施す等の理由で高価であるということが挙げられる。このことから、喪主の自宅から遠く離れた所に住み、喪主宅に足を運ぶのが困難な喪主以外の親族は、遺影写真を自宅に飾りたくとも、なかなか飾ることが難しいことから、遺影写真ではなく故人が写っている小さなスナップ写真等を卓上に飾って故人を偲び、法事や帰省等の機会に喪主宅で遺影写真を眺めて故人を偲ぶというのが現状となっている。そこで、仏壇の中に収まるくらい比較的小さなサイズで小型の遺影写真ならば、卓上にスナップ写真を飾るような感覚で飾ることができるので、このような、喪主以外の親族用の遺影写真として使用されることも可能となる。
【符号の説明】
【００４１】
１０、５０  額縁
１１、５１  枠体
１１ａ、５１ａ  前面側内周縁
１１ｂ、５１ｂ  裏面側内周縁
１２、５２  表板
１３、５３  裏板
１４、５５  開口部
１５、５４  段部
１６、５５  押さえ部材
２０  マット部材
２１  窓部
２２  プレート嵌め込み部
２３ａ  マット部材左右
２３ｂ  マット部材上側
２３ｃ  マット部材下側
２４  装飾縁
３０  遺影写真
４０、６０  プレート
４１  装飾
４２  俗名
４３  享年
４４  生存年月日
５４ｄ  段部外周壁
５４ａ  段部左右
５４ｂ  段部上側
５４ｃ  段部下側
６１  プレート下部
【図１】
0003157171.tif 000003
【図２】
0003157171.tif 000004
【図３】
0003157171.tif 000005
【図４】
0003157171.tif 000006
【図５】
0003157171.tif 000007
【図６】
0003157171.tif 000008
【図７】
0003157171.tif 000009
【図８】
0003157171.tif 000010
【図９】
0003157171.tif 000011
【図１０】
0003157171.tif 000012